【事件の表示】
　平成１１年防護標章登録願第８６７号拒絶査定不服審判事件について、次のとおり審決する。
【結　論】
　原査定を取り消す。
　本願の標章は、登録第４００５２００号の防護標章として登録をすべきものとする。
【理　由】
１　本願標章
　本願標章は、別掲に示すとおり、影付き文字の「マ・マー」を左横書きしてなり、第３類「せっけん類，香料類，化粧品，つけづめ，つけまつ毛，かつら装着用接着剤，つけまつ毛用接着剤，洗濯用でん粉のり，洗濯用ふのり，歯磨き，家庭用帯電防止剤，家庭用脱脂剤，さび除去剤，染み抜きベンジン，洗濯用柔軟剤，洗濯用漂白剤，つや出し剤，研磨紙，研磨布，研磨用砂，人造軽石，つや出し紙，つや出し布，靴クリーム，靴墨，塗料用剥離剤」
、第５類「薬剤，歯科用材料，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，医療用腕環，失禁用おしめ，人工受精用精液，乳児用粉乳，乳糖，はえ取り紙，防虫紙」、第２０類「家具，貯蔵槽類（金属製又は石製のものを除く。），プラスチック製バルブ（機械要素に当たるものを除く。），カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。），木製・竹製又はプラスチック製の包装用容器，葬祭用具，荷役用パレット（金属製のものを除く。），養蜂用巣箱，クッション，座布団，まくら，マットレス，愛玩動物用ベッド，犬小屋，小鳥用巣箱，うちわ，せんす，買物かご，額縁，家庭用水槽（金属製又は石製のものを除く。），きゃたつ及びはしご（金属製のものを除く。），工具箱（金属製のものを除く。），ししゅう用枠，植物の茎支持具，食品見本模型，人工池，すだれ，装飾用ビーズカーテン，ストロー，盆（金属製のものを除く。），スリーピングバッグ，タオル用ディスペンサー（金属製のものを除く。），つい立て，びょうぶ，ネームプレートおよび標札（金属製のものを除く。），旗ざお，ハンガーボード，ベンチ，帽子掛けかぎ（金属製のものを除く。），マネキン人形，洋服飾り型類，麦わらさなだ，アドバルーン，木製又はプラスチック製の立て看板，郵便受け（金属製又は石製のものを除く。），揺りかご，幼児用歩行器，美容院用いす，理髪用いす，石こう製彫刻，プラスチック製彫刻，木製彫刻，あし，い，おにがや，すげ，すさ，麦わら，わら，きょう木，しだ，竹，竹皮，つる，とう，木皮，きば，鯨のひげ，甲殻，人工角，ぞうげ，角，歯，べっこう，骨，さんご，海泡石，こはく」、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，家事用手袋，化粧用具（「電気式歯ブラシ」を除く。），電気式歯ブラシ，デンタルフロス，おけ用ブラシ，金ブラシ，管用ブラシ，工業用はけ，船舶ブラシ，ブラシ用豚毛，洋服ブラシ，靴ブラシ，靴べら，靴磨き布，軽便靴クリーナー，シューツリー，ガラス製包装用容器（「ガラス製栓・ガラス製ふた」を除く。），陶磁製包装用容器，ガラス製栓，ガラス製ふた，かいばおけ，家禽用リング，アイロン台，霧吹き，こて台，へら台，愛玩動物用食器，愛玩動物用ブラシ，犬のおしゃぶり，小鳥かご，小鳥用水盤，植木鉢，家庭園芸用の水耕式植物栽培器，じょうろ，家庭用燃え殻ふるい，石炭入れ，紙タオル取り出し用金属製箱，靴脱ぎ器，せっけん用ディスペンサー，寝室用簡易便器，トイレットペーパーホルダー，貯金箱（金属製のものを除く。），ねずみ取り器，はえたたき，湯かき棒，浴室用腰掛け，浴室用手おけ，ろうそく消し及びろうそく立て（貴金属製のものを除く。），花瓶及び水盤（貴金属製のものを除く。），風鈴，ガラス製又は磁器製の立て看板，香炉，コッフェル」、第２５類「被服，ガーター，靴下止め，ズボンつり，バンド，ベルト，履物，仮装用衣服，運動用特殊衣服，運動用特殊靴」及び第２８類「遊戯用器具，ビリヤード用具，囲碁用具，将棋用具，さいころ，すごろく，ダイスカップ，ダイヤモンドゲーム，チェス用具，チェッカー用具，手品用具，ドミノ用具，マージャン用具，おもちゃ，人形，愛玩動物用おもちゃ，運動用具，スキーワックス，釣り具」を指定商品とし、登録第４００５２００号商標（以下「本件登録商標」という。）の防護標章として平成１１年１月７日に防護標章登録出願されたものである。
　また、本件登録商標は、本願標章と同一の構成よりなり、平成６年４月１１日に登録出願、第３０類「コーヒー及びココア，コーヒー豆，茶，みそ，米，脱穀済みの大麦，食用粉類，食用グルテン，穀物の加工品，サンドイッチ，すし，ピザ，べんとう，ミートパイ，ラビオリ，菓子及びパン，即席菓子のもと，アーモンドペースト，イーストパウダー，こうじ，酵母，ベーキングパウダー，氷，酒かす」を指定商品として平成９年５月３０日に設定登録され、その後、一部取消し審判の請求があった結果、その指定商品中「菓子及びパン」についての登録を取り消すべき旨の審決がされ、その確定登録が平成１３年１０月３１日になされているものである。
　　　
２　原査定の理由
　本願標章は、他人がこれをその指定商品に使用しても、商品の出所について、混同を生じさせる程に需要者の間において広く認識されているものとは認められない。したがって、本願標章は、商標法第６４条の要件を具備していない。　
　
３　当審の判断
　本願標章は、上述のとおり、本件登録商標と同一の構成よりなるものである。
　そして、請求人（出願人）の提出に係る各甲号証によれば、本件登録商標は、商品「マカロニ，スパゲティ」等について、請求人により永年に亘り使用され、取引者・需要者の間に広く認識されているものと認められるばかりでなく、請求人は、「マカロニ，スパゲティ」等の製造業者として、我が国における先駆的な存在であり、その分野における我が国有数、かつ、トップランクの製造・販売業者であって、請求人会社設立当初より採択された請求人の基本商標「マ・マー」が昭和３９年の社名変更や同５８年のブランドイメージのアップのためのシャドーを施した本件登録商標「マ・マー」へのデザイン変更以来、請求人の製造・販売に係る商品にほとんど使用されてきていることが窺える（甲第１号証、甲第８号証等）。
　しかして、商品「マカロニ，スパゲティ」等について使用される本件登録商標は、家庭の主婦、子供等の需要者の間において、殊更、よく知られているところ、本願指定商品は、第３類「せっけん類，化粧品」等、第５類「薬剤」等、第２０類「家具」等（家庭用品）、第２１類「なべ類，清掃用具及び洗濯用具」等（台所用品）、第２５類「被服」等（衣料品）、第２８類「遊戯用器具，運動用具」等であって、これらの商品も、主として家庭の主婦、子供を対象とした商品、あるいは、主婦、子供に関係の深い商品といえることから、他人がこれを本願指定商品に使用した場合には、請求人若しくは請求人と何らかの関係を有する者の取扱いに係る商品であるかの如く、その出所について混同を生ずるおそれがあるものと認められ、それを否定し得る程の両商品間の関係のなさや需要者層の乖離の差異は認められない。
　これらの点を総合勘案すれば、本願標章を他人がその指定商品に使用した場合、これに接する取引者・需要者は、その商品が請求人又は請求人と何らかの関係を有する者の業務に係る商品であるかの如く、商品の出所について混同を生じさせるおそれがあるものと判断するのが相当である。
　してみれば、本願標章は、商標法第６４条の要件を充分満たすものといえるから、原査定の拒絶の理由によって本願を拒絶すべきものとすることはできない。
　その他、本願について拒絶をすべき理由を発見しない。